(57)【特許請求の範囲】
【請求項１】
（ａ）キーパッド（２６）とディスプレイ（２８）とを備えた前部（３０）と、背部（３２）とを有する計算器（２２）と、
（ｂ）前記計算器（２２）に摺動可能に連結され、内側表面（４２）と露出された外側表面（４４）とを有する引込み可能なカバー（２４）であって、前記カバー内側表面が前記計算器の前記前部（３０）に並列し、少なくとも前記前部（３０）の一部を保護する第１の位置と、前記カバー内側表面が前記計算器の前記背部（３２）に並列する第２の位置との間で移動することができる引込み可能なカバー（２４）と、
を備え、前記計算器（２２）が頂端部と底端部とを有し、前記カバー（２４）が、前記計算器の前記頂端部を支点として、前記第１の位置と前記第２の位置との間の中間位置へ枢軸旋回し、前記中間位置にあるときに前記計算器（２２）を所定の角度で支持するように構成されることを特徴とする手持ち計算器アセンブリ。
【請求項２】
前記カバー（２４）が、対向端部と、前記第２の位置にあるときに前記計算器（２２）を支持するための張出し支持部材（８０）を有し、前記張出し支持部材（８０）は、前記カバーの前記外側表面上かつ一端に取り付けられることを特徴とする請求項１に記載の手持ち計算器アセンブリ。
【請求項３】
前記支持部材（８０）がすべり抵抗材料で形成されることを特徴とする請求項２に記載の手持ち計算器アセンブリ。
【請求項４】
前記計算器（２２）が対向端部を有し、前記カバー（２４）が、前記第１の位置と前記第２の位置との間で移動されたときに、前記カバー内側表面が前記計算器（２２）に並列したままになるように、前記計算器（２２）の一方の端部の周りで枢軸旋回することを特徴とする請求項１に記載の手持ち計算器アセンブリ。
【請求項５】
前記カバー（２４）が、前記計算器（２２）の前記キーパッド（２６）と前記ディスプレイ（２８）を共に遮蔽するのに有効な長さを有することを特徴とする請求項１に記載の手持ち計算器アセンブリ。
【請求項６】
キーパッド（２６）とディスプレイ（２８）とを有する前部と、背部と、頂端部と、底端部と、前記頂端部と前記底端部の間を結ぶように形成された案内トラック（６４、６５）を有する２つの対向側面とを有する計算器（２２）と、
前記計算器前部（３０）の少なくとも一部を保護し、内側表面と露出された外側表面とを有する、引込み可能なカバー（２４）と、
前記カバー（２４）を前記計算器（２２）に摺動可能に連結する一対の相互接続ピンであって、前記カバーに連結され前記計算器（２２）の対向側面に設けられる前記案内トラック（６４、６５）内を摺動可能に取り付けられた一対の相互接続ピン（６０、６２）と、
前記計算器（２２）に対する前記カバー（２４）の位置に対応する位置であるところの前記案内トラック内の選択された位置に前記ピン（６０、６２）を支持するために、前記計算器（２２）の対向側面に設けられている案内トラック（６４、６５）上に形成された、張出したこぶ状部材（９０、９２）とを備え、
前記カバー（２４）が、前記カバー内側表面が前記計算器前部（３０）に並列する第１の位置と、前記カバー内側表面が前記計算器背部（３２）に並列する第２の位置との間で移動することができることを特徴とする手持ち計算器アセンブリ。
【請求項７】
前記ピン（６０、６２）および前記カバー（２４）が、単一の単位として一体に形成されることを特徴とする請求項６に記載の手持ち計算器アセンブリ。
【請求項８】
前記カバー（２４）が、対向端部と対向側壁とを有し、前記ピン（６０、６２）が、前記カバーの前記対向端部間のほぼ中央の位置で前記カバー（２４）の対向側壁に接続されることを特徴とする請求項６に記載の手持ち計算器アセンブリ。
【請求項９】
前記カバー（２４）が、前記計算器（２２）の側面を越えて延びる対向側壁を有し、前記ピン（６０、６２）が、前記カバー（２４）の対向側壁に接続され、それぞれ内側に他方の方へ突き出て前記計算器の対向側面の前記案内トラック（６４、６５）内に摺動可能に取り付けられることを特徴とする請求項６に記載の手持ち計算器アセンブリ。
【請求項１０】
前記カバー（２４）が、前記第１の位置と前記第２の位置との間で移動されたときに、前記カバー内側表面が前記計算器（２２）に並列したままになるように、前記計算器（２２）の頂端部または底端部の周りで枢軸旋回することを特徴とする請求項６に記載の手持ち計算器アセンブリ。
【請求項１１】
前記カバー（２４）が、前記計算器（２２）の側面を越えて延びる対向側壁を有し、前記ピン（６０、６２）が、前記カバー（２４）の対向側壁に接続され、それぞれ内側に他方の方へ突き出て前記計算器の対向側面の前記案内トラック（６４、６５）内に摺動可能に取り付けられ、前記カバー（２４）が、前記第１の位置から中間位置へ移動することができ、そのため、前記ピン（６０、６２）がそれぞれの前記案内トラック（６４、６５）中で前記計算器（２２）の前記頂端部または前記底端部の方へ摺動し、前記カバー（２４）が、前記中間位置にあるときに、前記計算器（２２）の前記頂端部または前記底端部を支点にして枢軸旋回し、前記カバー（２４）が、前記中間位置から前記第２の位置へ移動することができ、そのため、前記ピン（６０、６２）が、それぞれの前記案内トラック（６４、６５）中で前記計算器（２２）の前記頂端部または前記底端部から離れる方へ摺動することを特徴とする請求項６に記載の手持ち計算器アセンブリ。
【請求項１２】
前記カバー（２４）が、前記計算器（２２）の前記キーパッド（２６）および前記ディスプレイ（２８）を遮蔽するのに有効な長さを有することを特徴とする請求項６に記載の手持ち計算器アセンブリ。
【請求項１３】
前記カバー（２４）が、前記第２の位置にあるときに前記計算器（２２）を所定の角度で支持するために、露出された外側表面上に取り付けられた張出し支持部材（８０）を有することを特徴とする請求項６に記載の手持ち計算器アセンブリ。
【請求項１４】
縦の中央軸（７０）に沿って延び、キーパッド（２６）とディスプレイ（２８）とを有する前部（３０）と、縦の中央軸（７０）に沿って延びる背部（３２）とを有し、さらに、案内トラック（６４、６５）が形成された２つの対向側面を有する手持ち計算器用の引込み可能なカバーにおいて、
計算器前部（３０）の少なくとも一部を保護するパネル（４０）と、
前記計算器（２２）の対向側面を覆うために、前記パネル（４０）からほぼ垂直に延びる対向側壁（５０、５２）と、
前記対向側壁（５０、５２）のそれぞれの内側に他方の方へ突き出るように接続され、計算器（２２）の中央軸（７０）に垂直なピン軸（６８）に沿って整列し、計算器の対向側面の案内トラック（６４、６５）内に摺動可能に係合できるように構成された一対のピン（６０、６２）と、
前記計算器（２２）を所定の角度で支持するようになされ、前記パネル（４０）上に備えられた張出し支持部材（８０）と、
を備えることを特徴とする引込み可能なカバー。
【発明の詳細な説明】
【０００１】
【発明の属する技術分野】
本発明は、携帯手持ち計算器に関し、詳細には、そのような計算器用のカバーおよび支持体に関する。
【０００２】
【従来の技術】
携帯手持ち電子計算器は、一方の手で保持、あるいは机上で支持するように設計される。この計算器は、キーパッドの上方に配置された平坦なパネル・ディスプレイを有する。ディスプレイは一般に、掻き傷が付いたり、あるいは壊れる恐れがあるガラスまたはプラスチックで構成される。計算器を使用しないときにディスプレイおよびキーパッドを保護するために個別の保護ケーシングが使用される。残念なことに、ケーシングが、ユーザによって誤って配置され、あるいは失われ、そのため、計算器に異物が混入し、あるいは計算器が掻き傷や損傷を受けることがあり、あるいは誤って”ＯＮ”ボタンが始動され、その結果、ある種の計算器では、バッテリを徐々に消耗させてしまうことがある。
【０００３】
【発明が解決しようとする課題】
従って本発明は、ユーザーの誤った使用による未使用時のキーの誤操作や、カバーの紛失を防ぐことのできる手持ち計算器アセンブリを提供することを目的とする。
【０００４】
【課題を解決するための手段】
本発明の一態様によれば、一体型計算器と保護カバーとを有する携帯手持ち計算器アセンブリが提供される。この計算器は、キーパッドとディスプレイとを有する前部と、背部とを有する。キーパッドおよびディスプレイを保護するために、引込み可能なカバーが計算器に摺動可能に連結される。このカバーは、内側表面が計算器前部に対して並置され、したがって、キーパッドおよびディスプレイが保護される第１の位置と、内側表面が計算器背部に対して並置される第２の位置との間で移動することができる。
【０００５】
他の態様によれば、一対の相互接続ピンを使用して、カバーが摺動可能に計算器に結合される。ピンはカバーと一体に形成され、計算器のそれぞれの対向側面に形成されたガイド・トラック内に摺動可能に取り付けられる。カバーが第１の位置から中間位置へ移動すると、ピンはそれぞれのガイド・トラック中で計算器の頂端部または底端部の方へ摺動する。中間位置で、カバーが計算器の端部の周りで枢軸旋回する。次いで、カバーを中間位置から第２の位置へ移動することができ、その結果、ピンがそれぞれのガイド・トラック中で計算器の端部から中央の方へ摺動する。次いで、カバーは引込み格納位置に位置する。
【０００６】
本発明の他の態様によれば、計算器が中間位置または第２の位置に位置したときに、カバーを使用して計算器を様々な角度で支持することができる。
【０００７】
【実施例】
図１および図２は、本発明によって構築された携帯手持ち電子計算器アセンブリ２０を示す。計算器アセンブリ２０は、計算器２２と、計算器に摺動可能に結合された引込み可能なカバー２４とを含む。計算器２２は、従来のパターンで構成された個別に始動できるキーを有するキーパッド２６と、ＬＣＤフラット・パネル・ディスプレイなどビジュアル・ディスプレイ２８とを備える。計算器を始動する”ＯＮ”ボタンがキーパッドの一部として提供される。計算器２２はさらに、キーパッドおよびビジュアル・ディスプレイに結合された電子機器と、計算機能を実行するＩＣマイクロプロセッサ・チップと、電源とを含む（これらのうちで図示されているものはない）。計算器２２は、その計算機能および動作に関して従来型の設計のものである。
【０００８】
計算器２２は、キーパッド２６とディスプレイ２８とを含む上面または前部３０と、下面または背部３２（図１および図２では番号付けされていないが、図５ないし図９には示されている）とを有する。計算器２２は、頂端部３４と、底端部３６と、対向側面３８および３９（図１および図２では、対向側面３８のみが示されている）も含む。
【０００９】
カバー２４は、それが計算器前部に重なる第１の閉鎖位置と、カバーが計算器背部に沿って整列する第２の引込み位置（図２）の間で計算器２２に対して移動することができる。カバー２４は、閉鎖位置に位置するとき、計算器前部３０のほぼすべてに重なり、それを保護する。カバー２４は、図のように、計算器の長さにほぼ等しい長さを有することが好ましい。このように、カバーは閉鎖位置（図１）にあるとき、キーパッド２６とディスプレイ２８を共に遮蔽するのに有効な長さを有する。カバーは硬質材料で形成し、それによって、ディスプレイに対する掻き傷または損傷、キーパッドの異物、あるいはキーパッドの”ＯＮ”ボタンを誤って始動することを防止することが好ましい。
【００１０】
図３および図４も参照すると分かるように、カバー２４は、パネル４０と、内側表面４２と、露出された外側表面４４と、対向端部４６および４８と、対向側壁５０および５２とを有する。パネル４０は、ほぼ平坦であるが、非常にわずかな外側への湾曲を有する。パネルは、キーパッドおよびディスプレイを遮蔽保護する。側壁５０および５２は、パネル４０から垂直に延び、それぞれ計算器２２の側面３８および３９の上方に沿って延びる。
【００１１】
計算器アセンブリ２０は、引込み可能なカバー２４を計算器２２に摺動可能に結合する相互接続手段を有する。相互接続手段は、移動の全体にわたってカバー２４の内側表面４２を計算器２２に並列した状態に維持するようにカバーを閉鎖位置（図１）から引込み位置（図２）へ移動できるようにする。本発明の一態様による好ましい実施態様において、相互接続手段は、カバー２４に接続され、計算器２２のそれぞれの面３８および３９に形成されたそれぞれの案内トラック６４および６５内に摺動可能に取り付けられた、一対の相互接続ピン６０および６２を備える。
【００１２】
ピン６０および６２は、対向カバー端部４６と対向カバー端部４８のほぼ中間でカバー側壁５０および５２の内側表面に接続される。ピン６０および６２は、計算器によって画定された縦長の中央軸７０にほぼ垂直なピン軸６８に沿って同軸的に整列する（図３）。ピンはそれぞれ内側に他方の方へ突き出て、案内トラック６４内に摺動可能に取り付けられる（図４）。ピン６０および６２は、案内トラック内でピンを横方向に保持し、トラック内での円滑な縦方向の移動を容易にするそれぞれの大きな円形ヘッド６１および６３を含む。ピン６０および６２ならびにカバー２２は、硬質プラスチックなど硬質材料の単一の単位で一体に形成される。
【００１３】
計算器２２は、好ましい構成として、連結された上部ケーシング７２と下部ケーシング７４とで構成された計算器本体を有する（図１、図２、図３）。上部本体ケーシングと下部本体ケーシングの間のジョイントは、計算器２２の側面３８および３９に沿って走り、かつ計算器２２の頂端部３４と底端部３６の間を走る案内トラック６４および６５を形成する。組立時には、まず下部ケーシング７４の下部案内レール上にカバー・ピンを位置決めする。次いで、上部ケーシング７２を下部ケーシング７４上にはめ込み、あるいは取り付けて上部案内レールを設け、それによって案内トラック６４および６５を完成する。
【００１４】
カバー２４は、それが引込み位置（図２）にあるときに計算器を傾斜角度で支持するために使用される張出し支持部材８０を含む。支持部材８０は、カバーの端部４８で外側表面４４に取り付けられる。支持部材８０は、机上に位置したときに計算器アセンブリの変位に抵抗するようにゴムやエラストマーなどすべり抵抗部材で形成することが好ましい。
【００１５】
図５ないし図９は、カバーを引き込むための１つの可能な技法を示す。図５において、カバー２４は、キーパッドにもディスプレイにも重なり、それらを不要な異物および損傷から遮蔽する第１の閉鎖位置に位置している。この位置でカバー内側表面４２は計算器前部に並列する。閉鎖カバー位置に対応する選択された位置にピンを押し付けるために、計算器の中央部の案内トラック内に張出したもどり止め（ｄｅｔｅｎｔｓ）またはこぶ状部材（ｂｕｍｐｓ）９０（図６）が設けられる。このこぶ状部材は、ユーザが加える力が、こぶ状部材によって誘発される機械的付勢を圧倒するまで計算器の中央部にピンを保持するのに十分な寸法のものである。
【００１６】
カバーを開放するには、まずカバーを閉鎖位置から、計算器の一端の中間位置（図６）の方へ移動する。議論のために、カバー２４を計算器２２の頂端部３４へ移動すると仮定する。ピン６０、６２を、張出したこぶ状部材９０の先まで押して、案内トラック６４内を頂端部３４の方へ摺動させる。この中間位置にピンを一時的に固定するために案内トラックの頂端部に第２の１組の張出したもどり止め９２（図５参照）を設けることができる。
【００１７】
中間位置で、カバー２４を、頂端部３４の周りで、カバーが円形前部に重なる最初の並列位置（図６）から、計算器に対してほぼ垂直な位置（図７）を経て、計算器が背部に沿って整列する次の並列位置（図８）へ枢軸旋回させる。この枢軸旋回運動の間、ピンはトラック・ガイド内で静止したままであり、案内トラック中の張出したこぶ状部材９２によって頂端部に保持される。
【００１８】
次いで、カバーを図８の中間位置から図９の第２の引込み位置へ移動する。ピン６０、６２を、張出したこぶ状部材９２よりも先へ押し、案内トラック６４内で計算器の頂端部３４から中央部へ摺動させ、そこでピンをもう一度もどり止め９０によって保持する。引込み位置で、カバー内側表面４２は計算器背部に整列する。カバーを閉鎖するには、図５ないし図９のプロセスを単に逆にするだけでよい。
【００１９】
カバー内側表面４２が、閉鎖位置と引込み位置の間の移動全体にわたって計算器に並列したままであることに留意されたい。さらに、カバーを同様に底端部３６の周りで枢軸旋回させることによって、カバーを引き込み、あるいは閉鎖することができることに留意されたい。
【００２０】
図１０および図１１は、図２に示した支持角度に加えて、カバーによって達成できる２つの代替支持角度を示す。図１０で、カバーは、その中間位置にあり、計算器にほぼ垂直である。カバーの下半分は、計算器を、図２の緩やかな傾斜角度に比べてかなりきつく傾斜させて計算器を支持するために使用されている。これに対して、図１１は、計算器の背部に沿って延びた位置にあるカバーを示す。この場合、傾斜角度は、図２および図１０の傾斜角度と比べてかなり緩やかなものである。他の傾斜角度も可能である。
【００２１】
本発明の計算器は、手動操作の届かない位置まで引き込み、あるいは机上にセットしたときに計算器をある角度で支持する支持体として使用できる、保護カバーを提供するという点で有利である。カバーは、計算器に永久的に取り付けられたままであり、そのため、カバーが誤って配置され、失われ、あるいは盗まれることに関連する問題はなくなる。
【００２２】
法律に従って、構造および方法上の特徴に関して多少とも固有の言語で本発明を説明した。しかし、本明細書で開示した手段は本発明を実施する好ましい態様を備えるものなので、本発明が図示し、説明した固有の特徴に限らないことを理解されたい。
【００２３】
【実施態様】
なお、本発明の実施態様の例を以下に示す。
【００２４】
〔実施態様１〕  以下の（ａ）及び（ｂ）を設けて成る、手持ち計算器アセンブリ：
（ａ）キーパッド（２６）とディスプレイ（２８）とを備えた前部（３０）と、背部（３２）とを有する計算器（２２）；
（ｂ）計算器（２２）に摺動可能に連結され、内側表面（４２）と露出された外側表面（４４）とを有する引込み可能なカバー（２４）であって、前記カバー内側表面が前記計算器の前記前部（３０）に並列し、少なくとも前記前部（３０）の一部を保護する第１の位置と、前記カバー内側表面が前記計算器の前記背部（３２）に並列する第２の位置との間で移動することができることを特徴とする、引込み可能なカバー（２４）。
【００２５】
〔実施態様２〕  カバー（２４）が、前記第２の位置にあるときに計算器（２２）を支持するための張出し支持部材（８０）を有することを特徴とする、実施態様１に記載の手持ち計算器アセンブリ。
【００２６】
〔実施態様３〕  前記支持部材（８０）がすべり抵抗材料で形成されることを特徴とする、実施態様２に記載の手持ち計算器アセンブリ。
【００２７】
〔実施態様４〕  前記カバー（２４）が対向端部を有し、前記支持部材（８０）が外側表面上および前記カバーの一端に取り付けられることを特徴とする、実施態様２に記載の手持ち計算器アセンブリ。
【００２８】
〔実施態様５〕  前記計算器（２２）が対向端部を有し、前記カバー（２４）が、前記第１の位置と前記第２の位置との間で移動されたときに、前記カバー内側表面が前記計算器（２２）に並列したままになるように、前記計算器（２２）の一方の端部の周りで枢軸旋回することを特徴とする、実施態様１に記載の手持ち計算器アセンブリ。
【００２９】
〔実施態様６〕  前記計算器（２２）が頂端部と底端部とを有し、前記カバー（２４）が、前記計算器の前記頂端部を支点として、前記第１の位置と前記第２の位置との間の中間位置へ枢軸旋回し、前記中間位置にあるときに前記計算器（２２）を所定の角度で支持することを特徴とする、実施態様１に記載の手持ち計算器アセンブリ。
【００３０】
〔実施態様７〕  前記カバー（２４）が、前記計算器（２２）のキーパッド（２６）とディスプレイ（２８）を共に遮蔽するのに有効な長さを有することを特徴とする、実施態様１に記載の手持ち計算器アセンブリ。
【００３１】
〔実施態様８〕  キーパッド（２６）とディスプレイ（２８）とを有する前部と、背部と、頂端部と、底端部と、前記頂端部と前記底端部の間を結ぶように形成された案内トラック（６４、６５）を有する２つの対向側面とを有する計算器（２２）と、
前記計算器前部（３０）の少なくとも一部を保護し、内側表面と露出された外側表面とを有する、引込み可能なカバー（２４）と、
前記カバー（２４）を前記計算器（２２）に摺動可能に連結し、カバーに連結され前記計算器（２２）の対向面で前記案内トラック（６４、６５）内に摺動可能に取り付けられた一対の相互接続ピン（６０、６２）とを備え、
前記カバー（２４）が、前記カバー内側表面が前記計算器前部（３０）に並列する第１の位置と、前記カバー内側表面が前記計算器背部（３２）に並列する第２の位置との間で移動することができることを特徴とする、手持ち計算器アセンブリ。
【００３２】
〔実施態様９〕  前記ピン（６０、６２）および前記カバー（２４）が、単一の単位として一体に形成されることを特徴とする、実施態様８に記載の手持ち計算器アセンブリ。
【００３３】
〔実施態様１０〕  前記カバー（２４）が、対向端部と対向側壁とを有し、前記ピン（６０、６２）が、前記カバーの前記対向端部間のほぼ中央の位置でカバー側壁に接続されることを特徴とする、実施態様８に記載の手持ち計算器アセンブリ。
【００３４】
〔実施態様１１〕  前記カバー（２４）が、前記計算器（２２）の側面を越えて延びる対向側壁を有し、
前記ピン（６０、６２）が、カバー側壁に接続され、それぞれ内側に他方の方へ突き出て計算器の対向側面の案内トラック（６４、６５）内に摺動可能に取り付けられることを特徴とする、実施態様８に記載の手持ち計算器アセンブリ。
【００３５】
〔実施態様１２〕  前記カバー（２４）が、前記第１の位置と前記第２の位置との間で移動されたときに、前記カバー内側表面が前記計算器（２２）に並列したままになるように、前記計算器（２２）の頂端部または底端部の周りで枢軸旋回することを特徴とする、実施態様８に記載の手持ち計算器アセンブリ。
【００３６】
〔実施態様１３〕  前記カバー（２４）が、前記計算器（２２）の側面を越えて延びる対向側壁を有し、
前記ピン（６０、６２）が、前記カバー側壁に接続され、それぞれ内側に他方の方へ突き出て前記計算器の対向側面の前記案内トラック（６４、６５）内に摺動可能に取り付けられ、
前記カバー（２４）が、前記第１の位置から中間位置へ移動することができ、そのため、前記ピン（６０、６２）がそれぞれの前記案内トラック（６４、６５）中で前記計算器（２２）の前記頂端部または前記底端部の方へ摺動し、
前記カバー（２４）が、前記中間位置にあるときに、前記計算器（２２）の前記頂端部または前記底端部を支点にして枢軸旋回し、
前記カバー（２４）が、前記中間位置から前記第２の位置へ移動することができ、そのため、前記ピン（６０、６２）が、それぞれの前記案内トラック（６４、６５）中で前記計算器（２２）の前記頂端部または前記底端部から離れる方へ摺動することを特徴とする、実施態様８に記載の手持ち計算器アセンブリ。
【００３７】
〔実施態様１４〕  前記計算器（２２）に対する前記カバー（２４）の位置に対応する前記案内トラック内の選択された位置に前記ピン（６０、６２）を支持するために前記計算器（２２）の対向側面の案内トラック（６４、６５）上に位置する張出したこぶ状部材（９０、９２）をさらに備えることを特徴とする、実施態様８に記載の手持ち計算器アセンブリ。
【００３８】
〔実施態様１５〕  前記カバー（２４）が、前記計算器（２２）の前記キーパッド（２６）および前記ディスプレイ（２８）を遮蔽するのに有効な長さを有することを特徴とする、実施態様８に記載の手持ち計算器アセンブリ。
【００３９】
〔実施態様１６〕  前記カバー（２４）が、前記第２の位置にあるときに前記計算器（２２）を所定の角度で支持するために、露出された外側表面上に取り付けられた張出し支持部材（８０）を有することを特徴とする実施態様８に記載の手持ち計算器アセンブリ。
【００４０】
〔実施態様１７〕  縦の中央軸（７０）に沿って延び、キーパッド（２６）とディスプレイ（２８）とを有する前部（３０）と、縦の中央軸（７０）に沿って延びる背部（３２）とを有し、さらに、案内トラック（６４、６５）が形成された２つの対向側面を有する手持ち計算器用の引込み可能なカバーにおいて、
計算器前部（３０）の少なくとも一部を保護するパネル（４０）と、
パネル（４０）に接続され、計算器（２２）の中央軸（７０）に垂直なピン軸（６８）に沿って整列し、計算器の対向側面の案内トラック（６４、６５）内に摺動可能に係合できるように構成された一対のピン（６０、６２）とを備えることを特徴とする、引込み可能なカバー。
【００４１】
〔実施態様１８〕  前記計算器（２２）の対向側面を覆うために、パネル（４０）からほぼ垂直に延びる対向側壁（５０、５２）をさらに備え、ピン（６０、６２）が、前記対向側壁に接続され、それぞれ内側に他方の方へ突き出ることを特徴とする、実施態様１７に記載の手持ち計算器用の引込み可能なカバー。
【００４２】
〔実施態様１９〕  計算器（２２）を所定の角度で支持するようになされた張出し支持部材（８０）をパネル（４０）上にさらに備えることを特徴とする、実施態様１７に記載の手持ち計算器用の引込み可能なカバー。
【００４３】
【発明の効果】
以上詳細に説明したように、本発明は、計算器のディスプレイ及びキーパッドを保護するカバーを計算器に摺動可能に連結することにより、ユーザーの誤った使用による未使用時のキーの誤操作や、カバーの紛失を防ぐことができると同時に、カバーを様々な位置に設定できるので、計算器を様々な角度で机上に設置することができるという顕著な効果を合わせ持つ。
【図面の簡単な説明】
【図１】第１の閉鎖位置にある引込み可能なカバーを示す、本発明の手持ち計算器アセンブリの斜視図である。
【図２】第２の引込み位置にあるカバーを示す、手持ち計算器アセンブリの斜視図である。
【図３】本発明の好ましい構成による引込み可能なカバーの斜視図である。
【図４】計算器を破線で示した、カバーの拡大底端部立面図である。
【図５】閉鎖位置にあるカバーを示す、手持ち計算器アセンブリの側立面図である。
【図６】計算器に対して中間位置へ変位されたカバーを示す、手持ち計算器アセンブリの側立面図である。
【図７】中間位置にあり、かつ計算器の端部の周りで半分だけ枢軸旋回されたカバーを示す、手持ち計算器アセンブリの側立面図である。
【図８】中間位置にあり、かつ計算器の端部の周りで完全に枢軸旋回されて計算器の背面に沿って位置するカバーを示す、手持ち計算器アセンブリの側立面図である。
【図９】計算器に対して引込み位置へ変位されたカバーを示す、手持ち計算器アセンブリの側立面図である。
【図１０】カバーが中間位置にあり、かつ計算器に垂直であり、そのため、かなり急な傾斜角度で計算器を支持している手持ち計算器アセンブリの斜視図である。
【図１１】カバーが計算器の背面に沿って延ばされ、計算器をわずかな傾斜角度で支持している手持ち計算器アセンブリの斜視図である。
【符号の説明】
２０：手持ち電子計算器アセンブリ
２２：計算器
２４：引き込み可能なカバー
２６：キーパッド
２８：ディスプレイ
３０：計算器前部
６４：案内トラック
８０：張り出し支持部材
【図１】
0003618862.tif 000002
【図２】
0003618862.tif 000003
【図３】
0003618862.tif 000004
【図４】
0003618862.tif 000005
【図５】
0003618862.tif 000006
【図６】
0003618862.tif 000007
【図７】
0003618862.tif 000008
【図８】
0003618862.tif 000009
【図９】
0003618862.tif 000010
【図１０】
0003618862.tif 000011
【図１１】
0003618862.tif 000012